(57)【要約】【課題】本発明は、内燃機関の停止中に、パティキュレートフィルタに捕集されているＰＭを好適に酸化させることを課題とする。【解決手段】内燃機関の排気浄化装置は、フィルタと、フィルタを迂回する還流通路と、フィルタよりも下流側の排気をフィルタよりも上流側に還流させるポンプと、ポンプによって圧送されて還流通路を流れる排気を用いてヒドロキシラジカルを生成し、生成されたヒドロキシラジカルを還流通路に供給する供給装置と、内燃機関の停止中において、ポンプを駆動するとともに供給装置によりヒドロキシラジカルを供給させ、供給されたヒドロキシラジカルを用いてフィルタに捕集されているＰＭを酸化させる処理であるフィルタ再生処理を実行するフィルタ再生手段と、を備える。【選択図】図２
2018193870.tif 000002
【特許請求の範囲】
【請求項１】
内燃機関の排気通路に配置されて排気中のＰＭを捕集するパティキュレートフィルタと、
前記パティキュレートフィルタより上流の前記排気通路から分岐し、該パティキュレートフィルタを迂回して該パティキュレートフィルタより下流の該排気通路に合流する還流通路と、
前記還流通路を介して、前記パティキュレートフィルタよりも下流側の排気を該パティキュレートフィルタよりも上流側に還流させるポンプと、
前記ポンプによって圧送されて前記還流通路を流れる排気を用いてヒドロキシラジカルを生成し、生成されたヒドロキシラジカルを該還流通路に供給する供給装置と、
前記内燃機関の停止中において、前記ポンプを駆動するとともに前記供給装置によりヒドロキシラジカルを供給させ、供給されたヒドロキシラジカルを用いて前記パティキュレートフィルタに捕集されているＰＭを酸化させる処理であるフィルタ再生処理を実行するフィルタ再生手段と、
を備える、内燃機関の排気浄化装置。
【請求項２】
前記パティキュレートフィルタの温度を検出する温度検出手段を、更に備え、
前記フィルタ再生手段は、前記温度検出手段により検出される温度が、前記パティキュレートフィルタにおいて水が蒸発し得る下限温度以上で、且つ前記パティキュレートフィルタにおけるヒドロキシラジカルの熱分解を抑制し得る上限温度以下であるときに、前記フィルタ再生処理を実行する、請求項１に記載の内燃機関の排気浄化装置。
【発明の詳細な説明】
【技術分野】
【０００１】
本発明は、パティキュレートフィルタを備える、内燃機関の排気浄化装置に関する。
【背景技術】
【０００２】
内燃機関の排気浄化装置として、排気中のＰＭ（Particulate Matter）を捕集するパティキュレートフィルタと、オゾン供給装置とを、内燃機関の排気通路に配置したものが知られている。そして、オゾン供給装置からパティキュレートフィルタへオゾンを供給することにより、パティキュレートフィルタに捕集されているＰＭを酸化させる方法が提案されている（例えば、特許文献１を参照）。
【０００３】
また、ヒドロキシラジカルを用いて、排気中のＰＭを酸化させる技術が知られている（例えば、特許文献２を参照）。
【先行技術文献】
【特許文献】
【０００４】
【特許文献１】特開２０１０−０９０７１２号公報
【特許文献２】特開２０１２−２０７５３６号公報
【発明の概要】
【発明が解決しようとする課題】
【０００５】
ところで、内燃機関の排気に含まれる水分やＳＯＦ（Soluble Organic Fraction）等がパティキュレートフィルタにおいて液化すると、パティキュレートフィルタに捕集されているＰＭを凝集させる場合がある。パティキュレートフィルタにおいてＰＭの凝集が発生している状態で、オゾンがパティキュレートフィルタへ供給されると、パティキュレートフィルタに捕集されているＰＭを効率的に酸化させることができない可能性がある。
【０００６】
また、内燃機関の運転中に排気通路を流れる排気を用いてヒドロキシラジカルを生成する構成においては、内燃機関の停止中にヒドロキシラジカルを十分に生成することができない虞がある。
【０００７】
本発明は、上記したような種々の実情に鑑みてなされたものであり、その目的は、内燃機関の停止中に、パティキュレートフィルタに捕集されているＰＭを好適に酸化させることにある。
【課題を解決するための手段】
【０００８】
上記課題を解決するために本発明に係る内燃機関の排気浄化装置は、内燃機関の排気通路に配置されて排気中のＰＭを捕集するパティキュレートフィルタと、前記パティキュレートフィルタより上流の前記排気通路から分岐し、該パティキュレートフィルタを迂回して該パティキュレートフィルタより下流の該排気通路に合流する還流通路と、前記還流通路を介して、前記パティキュレートフィルタよりも下流側の排気を該パティキュレートフィルタよりも上流側に還流させるポンプと、前記ポンプによって圧送されて前記還流通路を流れる排気を用いてヒドロキシラジカルを生成し、生成されたヒドロキシラジカルを該還流通路に供給する供給装置と、前記内燃機関の停止中において、前記ポンプを駆動するとともに前記供給装置によりヒドロキシラジカルを供給させ、供給されたヒドロキシラジカルを用いて前記パティキュレートフィルタに捕集されているＰＭを酸化させる処理であるフィルタ再生処理を実行するフィルタ再生手段と、を備える。
【０００９】
また、本発明に係る内燃機関の排気浄化装置は、前記パティキュレートフィルタの温度を検出する温度検出手段を、更に備えてもよい。そして、前記フィルタ再生手段は、前記温度検出手段により検出される温度が、前記パティキュレートフィルタにおいて水が蒸発し得る下限温度以上で、且つ前記パティキュレートフィルタにおけるヒドロキシラジカルの熱分解を抑制し得る上限温度以下であるときに、前記フィルタ再生処理を実行してもよい。
【発明の効果】
【００１０】
本発明によれば、内燃機関の停止中に、パティキュレートフィルタに捕集されているＰＭを好適に酸化させることができる。
【図面の簡単な説明】
【００１１】
【図１】本発明の第一の実施形態に係る内燃機関とその吸排気系の概略構成を示す図である。
【図２】本発明の第一の実施形態に係る内燃機関の排気浄化装置において実行される制御フローを示すフローチャートである。
【図３】本発明の第一の実施形態の変形例に係る内燃機関とその吸排気系の概略構成を示す図である。
【図４】本発明の第二の実施形態に係る内燃機関の排気浄化装置において実行される制御フローを示すフローチャートである。
【発明を実施するための形態】
【００１２】
以下に図面を参照して、この発明を実施するための形態を、例示的に詳しく説明する。ただし、この実施形態に記載されている構成部品の寸法、材質、形状、その相対配置などは、特に記載がない限りは、この発明の範囲をそれらのみに限定する趣旨のものではない。
【００１３】
（第一の実施形態）
＜内燃機関とその吸排気系の構成＞
図１は、本実施形態に係る内燃機関とその吸排気系の概略構成を示す図である。図１に示す内燃機関１は、軽油を燃料として運転される、圧縮着火式の内燃機関（ディーゼルエンジン）であり、気筒２内へ燃料を直接噴射するための燃料噴射弁３を備えている。なお、内燃機関１は、ガソリンを燃料として運転される、火花点火式の内燃機関（ガソリンエンジン）であってもよい。
【００１４】
内燃機関１は、吸気通路４と接続されている。吸気通路４には、エアフローメータ４０とスロットル弁４１とが設けられている。エアフローメータ４０は、吸気通路４内を流れる吸気（空気）の量（質量）に応じた電気信号を出力する。スロットル弁４１は、エアフローメータ４０より下流の吸気通路４に配置され、吸気通路４の通路断面積を変更することで、内燃機関１の吸入空気量を調整する。
【００１５】
内燃機関１は、排気通路５と接続されている。排気通路５には、フィルタケーシング５０が配置されている。フィルタケーシング５０は、排気中のＰＭを捕集するパティキュレートフィルタ５０ａ（以下、単に「フィルタ５０ａ」と称する場合もある。）を収容している。このフィルタ５０ａは、ウォールフロー型のパティキュレートフィルタである。そして、フィルタケーシング５０より下流の排気通路５には、フィルタケーシング５０から流出する排気の温度に相関した電気信号を出力する温度センサ５６が配置されている。
【００１６】
また、排気通路５には、フィルタケーシング５０を迂回する還流通路５１が設けられている。還流通路５１は、フィルタケーシング５０よりも上流の排気通路５から分岐し、フ
ィルタケーシング５０よりも下流の排気通路５に合流する。そして、還流通路５１には、ポンプ５２が配置されている。ポンプ５２は、還流通路５１を介して、フィルタケーシング５０よりも下流側の排気をフィルタケーシング５０よりも上流側に還流させる。なお、還流通路５１を流通して、フィルタケーシング５０よりも下流側からフィルタケーシング５０よりも上流側へ還流する排気を、以下「還流排気」と称する。
【００１７】
そして、還流排気の流れに従って、ポンプ５２よりも下流の還流通路５１には順に、オゾン生成器５３、オゾン改質器５４、逆止弁５５が設けられている。ここで、オゾン生成器５３には、該オゾン生成器５３に酸素を導入するための外気取入れ部が設けられている。そして、オゾン生成器５３は、外気取入れ部から導入された空気にプラズマ放電を行うことで、オゾンを生成する。または、オゾン生成器５３は、紫外線発生部を備えてもよい。そして、オゾン生成器５３は、還流排気に紫外線（例えば、１００−２００ｎｍの波長の紫外線）を照射することで、オゾンを生成してもよい。
【００１８】
そして、生成されたオゾンは、還流排気の流れによってオゾン改質器５４に供給される。そして、該オゾンがオゾン改質器５４によって分解される。ここで、オゾン改質器５４は、供給されたオゾンに紫外線（例えば、２００−２８０ｎｍの波長の紫外線）を照射することで該オゾンを分解し、スーパーオキシドや酸素原子を生成する。このようにして生成されたスーパーオキシドや酸素原子は、還流通路５１に供給される。そうすると、スーパーオキシドや酸素原子と、還流排気中の水分と、が反応し、ヒドロキシラジカルが生成される。したがって、オゾン改質器５４は、オゾン分解成分と還流排気中の水分とによりヒドロキシラジカルを生成させるヒドロキシラジカル発生手段と捉えることもできる。なお、本実施形態においてはオゾン生成器５３およびオゾン改質器５４が、本発明における供給装置に相当する。
【００１９】
このように構成された内燃機関１には、ＥＣＵ（Electronic Control Unit）１０が併
設されている。ＥＣＵ１０は、ＣＰＵ、ＲＯＭ、ＲＡＭ、バックアップＲＡＭ等から構成される電子制御ユニットである。ＥＣＵ１０は、前述したエアフローメータ４０、温度センサ５６に加え、アクセルポジションセンサ７やクランクポジションセンサ８等の各種センサと電気的に接続されている。アクセルポジションセンサ７は、図示しないアクセルペダルの操作量（アクセル開度）に相関した電気信号を出力するセンサである。クランクポジションセンサ８は、内燃機関１の機関出力軸（クランクシャフト）の回転位置に相関する電気信号を出力するセンサである。これら各種センサの出力信号は、ＥＣＵ１０に入力されるようになっている。
【００２０】
また、ＥＣＵ１０は、上記の燃料噴射弁３、スロットル弁４１、ポンプ５２、オゾン生成器５３、オゾン改質器５４等の各種機器と電気的に接続されている。そして、ＥＣＵ１０は、上記の各種機器を制御する。例えば、ＥＣＵ１０は、ポンプ５２を駆動するとともにオゾン生成器５３およびオゾン改質器５４を作動することによって、ヒドロキシラジカルを還流通路５１に供給させる。また、ＥＣＵ１０は、ポンプ５２を停止するとともにオゾン生成器５３およびオゾン改質器５４の作動を停止することによって、ヒドロキシラジカルの供給を停止させる。
【００２１】
＜フィルタ再生処理＞
ＥＣＵ１０は、フィルタ５０ａにＰＭが捕集されることに起因するフィルタ５０ａの目詰まりを抑制するために、フィルタ５０ａに捕集されているＰＭ（以下、「捕集ＰＭ」と称する場合もある。）を酸化および除去するための処理を実行する。この処理について、以下に詳しく説明する。
【００２２】
ヒドロキシラジカルは、オゾンよりも酸化力が強い。そのため、ヒドロキシラジカルを
用いて捕集ＰＭを酸化および除去する場合は、オゾンを用いて捕集ＰＭを酸化および除去する場合よりも、効率的にＰＭを酸化および除去し得る。したがって、フィルタ５０ａでＰＭの凝集が発生している状態においても、ヒドロキシラジカルを用いると、効率的に捕集ＰＭを酸化および除去し得る。
【００２３】
ここで、従来から、内燃機関の運転中に排気通路を流れる排気を用いてヒドロキシラジカルを生成する構成が知られている。しかしながら、このような構成においては、内燃機関の停止中にヒドロキシラジカルを十分に生成することができない虞がある。また、パティキュレートフィルタより上流側の排気を用いてヒドロキシラジカルを生成する場合には、ヒドロキシラジカルを生成する構成がＰＭによって汚染される虞がある。
【００２４】
そこで、本実施形態に係る排気浄化装置は、上述したように、還流通路５１を介して、フィルタケーシング５０よりも下流側の排気がフィルタケーシング５０よりも上流側に還流するように構成される。更に、本実施形態に係る排気浄化装置が備えるＥＣＵ１０は、内燃機関１の停止中において、ポンプ５２を駆動するとともにオゾン生成器５３およびオゾン改質器５４を作動し、ヒドロキシラジカルを還流通路５１に供給させる。そして、該ヒドロキシラジカルを用いて捕集ＰＭを酸化させる。言い換えれば、ＥＣＵ１０は、内燃機関１の停止中において、還流排気により生成されたヒドロキシラジカルを用いて、フィルタ５０ａの再生を行う。以下、ＥＣＵ１０が実行するこのような処理を「フィルタ再生処理」と称する。
【００２５】
このような構成によれば、フィルタ５０ａを通過した後の排気を用いてヒドロキシラジカルが生成されるため、オゾン生成器５３やオゾン改質器５４のＰＭによる汚染が抑制される。更に、内燃機関１の停止中においてもヒドロキシラジカルを生成することが可能になる。そのため、内燃機関１の停止中に、捕集ＰＭを好適に酸化させることができる。
【００２６】
次に、ＥＣＵ１０が実行する制御フローについて図２に基づいて説明する。図２は、本実施形態に係る制御フローを示すフローチャートである。
【００２７】
本フローでは、先ず、Ｓ１０１において、フィルタ５０ａの再生要求が成立しているか否かが判別される。このＳ１０１の処理は、内燃機関１の運転中に所定の演算周期で繰り返し実行される。ここで、フィルタ５０ａの再生要求は、例えば、フィルタ５０ａにおけるＰＭ捕集量が所定量以上であると判断される場合に成立する。この場合、ＰＭ捕集量の推定が、本フローとは異なる周知のフローにしたがって実行される。そして、Ｓ１０１において肯定判定された場合、ＥＣＵ１０はＳ１０２の処理へ進み、Ｓ１０１において否定判定された場合、本フローの実行が終了される。
【００２８】
Ｓ１０１において肯定判定された場合、次に、Ｓ１０２において、内燃機関１が停止したか否かが判別される。そして、Ｓ１０２において肯定判定された場合、ＥＣＵ１０はＳ１０３の処理へ進み、Ｓ１０２において否定判定された場合、ＥＣＵ１０はＳ１０２の処理を所定の周期で繰り返す。なお、ＥＣＵ１０がＳ１０２の処理を所定の周期で繰り返している間に、本フロー（Ｓ１０１の処理）の次回の実行タイミングが訪れた場合には、ＥＣＵ１０は、Ｓ１０２の処理を優先して継続してもよいし、Ｓ１０２の処理を中止してＳ１０１の処理を実行してもよい。
【００２９】
Ｓ１０２において肯定判定された場合、次に、Ｓ１０３において、フィルタ再生処理の実行時間Ｔｉｅｘｅが算出される。ここで、実行時間Ｔｉｅｘｅは、捕集ＰＭの酸化除去を可能にするフィルタ再生処理の実行時間として定義される。Ｓ１０３では、例えば、フィルタ５０ａにおけるＰＭ捕集量に基づいて、実行時間Ｔｉｅｘｅが算出される。この場合、本フローとは異なる周知のフローにしたがって推定されたＰＭ捕集量と、ＥＣＵ１０
のＲＯＭに記憶されたマップまたは関数であってＰＭ捕集量と実行時間Ｔｉｅｘｅとの相関を表すマップまたは関数と、に基づいて、実行時間Ｔｉｅｘｅが算出される。
【００３０】
次に、Ｓ１０４において、ＥＣＵ１０は、フィルタ５０ａの再生を行うべく、ポンプ５２を駆動するとともにヒドロキシラジカルを還流通路５１に供給させる。Ｓ１０４では、ＥＣＵ１０は、ポンプ５２を駆動することによって、還流通路５１を介して、フィルタケーシング５０よりも下流側の排気をフィルタケーシング５０よりも上流側に還流させる。また、ＥＣＵ１０は、オゾン生成器５３を作動することによってオゾンを生成させ、オゾン改質器５４を作動することによって該オゾンを分解させる。そして、ＥＣＵ１０は、オゾン分解成分と還流排気中の水分とによりヒドロキシラジカルを生成させ、該ヒドロキシラジカルを還流通路５１に供給させる。その結果、ヒドロキシラジカルが還流排気とともにフィルタ５０ａに供給されることになる。これにより、内燃機関１の停止中に、捕集ＰＭを好適に酸化させることが可能となる。
【００３１】
次に、Ｓ１０５において、Ｓ１０４の処理が開始されてから実行時間Ｔｉｅｘｅが経過したか否かが判別される。Ｓ１０５において肯定判定された場合、この場合は捕集ＰＭが酸化除去されたと推定できる場合であって、ＥＣＵ１０はＳ１０６の処理へ進む。一方、Ｓ１０５において否定判定された場合、ＥＣＵ１０はＳ１０４の処理へ戻り、ポンプ５２を駆動するとともにヒドロキシラジカルを還流通路５１に供給させる処理が継続される。
【００３２】
Ｓ１０５において肯定判定された場合、次に、Ｓ１０６において、ＥＣＵ１０は、フィルタ５０ａの再生を終了すべく、ポンプ５２を停止するとともにヒドロキシラジカルの還流通路５１への供給を停止させる。そして、Ｓ１０６の処理の後、本フローの実行が終了される。
【００３３】
このように、上記のフローによれば、内燃機関１の停止中にヒドロキシラジカルを用いたフィルタ５０ａの再生（フィルタ再生処理）が実行される。そして、フィルタ再生処理を実行することによって、内燃機関１の停止中に、フィルタ５０ａに捕集されているＰＭ（捕集ＰＭ）を好適に酸化させることができる。ここで、ＥＣＵ１０がＳ１０２−Ｓ１０５の処理を実行することにより、本発明に係るフィルタ再生手段が実現される。
【００３４】
（第一の実施形態の変形例）
次に、上述した第一の実施形態の変形例について、図３に基づいて説明する。なお、本変形例において、上述した第一の実施形態と実質的に同一の構成、実質的に同一の制御処理については、その詳細な説明を省略する。
【００３５】
図３は、本変形例に係る内燃機関とその吸排気系の概略構成を示す図である。図３に示す構成は、上記の図１に示した構成のオゾン生成器５３およびオゾン改質器５４に代えて、ヒドロキシラジカル生成器５７を還流通路５１に備えている。ここで、ヒドロキシラジカル生成器５７は、還流排気を用いてヒドロキシラジカルを生成し、該ヒドロキシラジカルを還流通路５１に供給する。詳しくは、ヒドロキシラジカル生成器５７は、還流排気に含まれる水分を分離・捕集し、捕集された水にプラズマ放電を行う。そうすると、水が分解され、ヒドロキシラジカルが生成する。そして、このように生成されたヒドロキシラジカルが還流通路５１に供給される。なお、本変形例においてはヒドロキシラジカル生成器５７が、本発明における供給装置に相当する。
【００３６】
そして、ＥＣＵ１０は、ポンプ５２を駆動するとともにヒドロキシラジカル生成器５７を作動することによって、ヒドロキシラジカルを還流通路５１に供給させる。また、ＥＣＵ１０は、ポンプ５２を停止するとともにヒドロキシラジカル生成器５７の作動を停止することによって、ヒドロキシラジカルの供給を停止させる。
【００３７】
このような構成によっても、フィルタ５０ａを通過した後の排気を用いてヒドロキシラジカルが生成されるため、ヒドロキシラジカル生成器５７のＰＭによる汚染が抑制される。更に、ＥＣＵ１０が上記の図２に示した制御フローを実行することによって、内燃機関１の停止中に、フィルタ５０ａに捕集されているＰＭ（捕集ＰＭ）を好適に酸化させることができる。
【００３８】
（第二の実施形態）
次に、本発明の第二の実施形態について、図４に基づいて説明する。なお、本実施形態において、上述した第一の実施形態と実質的に同一の構成、実質的に同一の制御処理については、その詳細な説明を省略する。
【００３９】
本実施形態に係る排気浄化装置が備えるＥＣＵ１０は、フィルタ５０ａの温度（後述する手法により検出される。）が、フィルタ５０ａにおいて水が蒸発し得る下限温度以上で、且つフィルタ５０ａにおけるヒドロキシラジカルの熱分解を抑制し得る上限温度以下であるときに、上記のフィルタ再生処理を実行する。これについて、以下に詳しく説明する。
【００４０】
内燃機関１の排気中に含まれる水分やＳＯＦ等がフィルタ５０ａにおいて液化すると、フィルタ５０ａに捕集されているＰＭ（捕集ＰＭ）を凝集させることがある。そして、捕集ＰＭが凝集してしまうと、該ＰＭを酸化させ難くなる。したがって、捕集ＰＭの凝集を可及的に抑制すべく、フィルタ５０ａにおける水分やＳＯＦ等の液化を可及的に抑制することが望ましい。
【００４１】
ここで、フィルタ５０ａの温度（以下、「フィルタ温度」と称する場合もある。）が上記の下限温度よりも低い場合には、フィルタ５０ａに流入した排気中に含まれる水分が液化し得る。そうすると、捕集ＰＭが凝集する虞がある。そこで、ＥＣＵ１０は、フィルタ温度が下限温度よりも低い場合には、フィルタ再生処理を実行しない。つまり、内燃機関１の停止中に還流通路５１を介して排気を還流させない。これにより、捕集ＰＭが凝集してしまう事態を抑制することができる。
【００４２】
また、フィルタ温度が上記の上限温度よりも高い場合には、フィルタ５０ａに流入したヒドロキシラジカルが熱分解し得る。そうすると、捕集ＰＭを酸化させることができなくなる虞がある。そして、このような場合にフィルタ再生処理が実行されると、フィルタ再生処理に要する電力が無駄になる虞がある。そこで、ＥＣＵ１０は、フィルタ温度が上限温度よりも高い場合には、フィルタ再生処理を実行しない。
【００４３】
次に、ＥＣＵ１０が実行する制御フローについて図４に基づいて説明する。図４は、本実施形態に係る制御フローを示すフローチャートである。
【００４４】
図４に示すフローでは、Ｓ１０２において肯定判定された場合、次に、Ｓ２０１において、フィルタ５０ａの温度（フィルタ温度）Ｔｆが検出される。Ｓ２０１では、温度センサ５６の出力値に基づいて、フィルタ温度Ｔｆが検出される。なお、温度センサ５６に加え、フィルタケーシング５０より上流の排気通路５にも温度センサが設けられる場合は、それら２つの温度センサの出力値に基づいて、フィルタ温度Ｔｆが検出されてもよい。ここで、Ｓ２０１では、内燃機関１の停止後の温度センサ５６の出力値に基づいて、フィルタ温度Ｔｆが検出されてもよいし、内燃機関１の停止前の温度センサ５６の出力値に基づいて、Ｓ２０１の実行タイミングにおけるフィルタ温度Ｔｆが推定されてもよい。また、フィルタ５０ａの温度を測定する温度センサがフィルタケーシング５０に取り付けられている場合は、その温度センサの出力値をフィルタ温度Ｔｆとして用いればよい。なお、Ｅ
ＣＵ１０がＳ２０１の処理を実行することにより、本発明に係る温度検出手段が実現される。
【００４５】
そして、Ｓ２０１の処理の後、Ｓ２０２において、Ｓ２０１で検出したフィルタ温度Ｔｆが、フィルタ５０ａにおいて水が蒸発し得る下限温度Ｔｆｍｉｎ以上で、フィルタ５０ａにおけるヒドロキシラジカルの熱分解を抑制し得る上限温度Ｔｆｍａｘ以下であるか否かが判別される。ここで、下限温度Ｔｆｍｉｎおよび上限温度Ｔｆｍａｘは、ＥＣＵ１０のＲＯＭに予め記憶されている。そして、Ｓ２０２において肯定判定された場合、ＥＣＵ１０はＳ１０３の処理へ進み、Ｓ２０２において否定判定された場合、本フローの実行が終了される。つまり、ＥＣＵ１０は、フィルタ温度Ｔｆが下限温度Ｔｆｍｉｎ以上で上限温度Ｔｆｍａｘ以下であるときに、Ｓ１０３以降の処理によるフィルタ５０ａの再生を実行する。
【００４６】
本実施形態によれば、内燃機関１の停止中に、フィルタ５０ａに捕集されているＰＭ（捕集ＰＭ）をより好適に酸化させることができる。ここで、ＥＣＵ１０がＳ１０２−Ｓ１０５およびＳ２０２の処理を実行することにより、本発明に係るフィルタ再生手段が実現される。
【符号の説明】
【００４７】
１      内燃機関
３      燃料噴射弁
５      排気通路
１０    ＥＣＵ
５０    フィルタケーシング
５０ａ  パティキュレートフィルタ
５１    還流通路
５２    ポンプ
５３    オゾン生成器
５４    オゾン改質器
５５    逆止弁
５６    温度センサ
５７    ヒドロキシラジカル生成器
【図１】
2018193870.tif 000003
【図２】
2018193870.tif 000004
【図３】
2018193870.tif 000005
【図４】
2018193870.tif 000006